(57)【要約】【課題】良好な美観を実現し、かつ壊れ難い照明器具を提供する。【解決手段】照明体（２）の長手方向の中央を取付部材（１）の長手方向の中央に対して固定する第３固定部材（５）による取付部材（１）に対する照明体（２）の固定強度が、第１固定部材（３）による取付部材（１）に対する照明体（２）の固定強度より小さく、第２固定部材（４）による取付部材（１）に対する照明体（２）の固定強度より小さい。【選択図】図１
2018010838.tif 000002
【特許請求の範囲】
【請求項１】
設置面に固定される取付部材と、
上記取付部材に接続されている照明体と、
上記照明体の長手方向の一端を上記取付部材の長手方向の一端に対して固定する第１固定部材と、
上記照明体の長手方向の他端を上記取付部材の長手方向の他端に対して固定する第２固定部材と、
上記照明体の長手方向の中央を上記取付部材の長手方向の中央に対して固定する第３固定部材とを備えており、
上記第３固定部材による上記取付部材に対する上記照明体の固定強度が、上記第１固定部材による上記取付部材に対する上記照明体の固定強度より小さく、かつ、上記第２固定部材による上記取付部材に対する上記照明体の固定強度より小さいことを特徴とする照明器具。
【請求項２】
上記第３固定部材は、
上記取付部材における上記照明体と対向する面である永久磁石搭載面に搭載された永久磁石と、
上記照明体における上記取付部材と対向する面である磁性体材料搭載面に搭載された磁性体材料とを有していることを特徴とする請求項１に記載の照明器具。
【請求項３】
上記第３固定部材は、上記磁性体材料搭載面に搭載されており、上記磁性体材料に対して当該磁性体材料搭載面と垂直な方向に孔が形成された案内部材を有しており、
上記案内部材は、非磁性体材料によって構成されていることを特徴とする請求項２に記載の照明器具。
【請求項４】
上記第３固定部材は、上記永久磁石搭載面に対して上記永久磁石を固定する永久磁石固定部材を有しており、
上記永久磁石固定部材と、上記取付部材の短手方向の端部とが離間されていることを特徴とする請求項２または３に記載の照明器具。
【請求項５】
少なくとも、上記永久磁石搭載面および上記磁性体材料搭載面のうち少なくとも一方は、非磁性体材料の基材によって構成されていることを特徴とする請求項２から４のいずれか１項に記載の照明器具。
【発明の詳細な説明】
【技術分野】
【０００１】
本発明は、幅に対して長さが非常に大きい照明器具に関する。
【背景技術】
【０００２】
鉄道のホーム等に設置される照明器具として、印加電力１１０Ｗの蛍光灯に相当する照明器具が知られている。この照明器具は、一般に非常に細長い形状であり、例えば、幅が約６０ｍｍ（ミリメートル）である一方、長さが約２４００ｍｍ以上である。中でも、良好な美観を実現し、かつ製造を簡単にすることを目的として、設置面に固定される取付部材と、取付部材に接続されている照明体とを備えた照明器具が知られている。
【０００３】
取付部材と照明体とを備えた照明器具の設置は、下記の工程（Ａ）〜（Ｃ）の手順によって行われる。
【０００４】
（Ａ）取付部材を吊ボルト等によって設置面に固定する。
【０００５】
（Ｂ）照明のために必要な配線を行う。
【０００６】
（Ｃ）取付部材における設置面と反対側の面に対して照明体をかぶせ、照明体を取付部材に対して固定する。
【０００７】
上記の工程（Ｃ）において、照明体を取付部材に対して固定するための部材が照明の妨げとなることを避けるため、上記照明器具においては、長手方向の両端にて、当該固定が行われることが一般的である。
【０００８】
上記照明器具における長手方向の両端にて、照明体を取付部材に対して固定する技術の一例として、特許文献１に開示されている照明器具が挙げられる。特許文献１に開示されている照明器具においては、取付部材に設けられた磁性体材料と、照明体に設けられた永久磁石とが互いに磁着することによって、取付部材に照明体が接続する。これにより、特許文献１に開示されている照明器具によれば、取付部材への照明体の着脱が容易で、部材を損傷させることがないという効果を奏する。
【先行技術文献】
【特許文献】
【０００９】
【特許文献１】特開２０１６−３１８５７号公報（２０１６年３月７日公開）
【発明の概要】
【発明が解決しようとする課題】
【００１０】
上述したとおり、上記照明器具は、非常に細長い形状である。このため、上記の工程（Ｃ）において、照明器具における長手方向の両端にて固定を行った場合、照明体の自重によって当該照明体の中央付近が垂れ下がってしまう。この結果、照明器具の美観を損ねたり、照明器具の特定部分に大きな負担が加わることで照明器具が壊れ易くなったりする虞があるという問題が発生する。
【００１１】
本発明は、上記の課題に鑑みて為されたものであり、その目的は、良好な美観を実現し、かつ壊れ難い照明器具を提供することにある。
【課題を解決するための手段】
【００１２】
上記の課題を解決するために、本発明の一態様に係る照明器具は、設置面に固定される取付部材と、上記取付部材に接続されている照明体と、上記照明体の長手方向の一端を上記取付部材の長手方向の一端に対して固定する第１固定部材と、上記照明体の長手方向の他端を上記取付部材の長手方向の他端に対して固定する第２固定部材と、上記照明体の長手方向の中央を上記取付部材の長手方向の中央に対して固定する第３固定部材とを備えており、上記第３固定部材による上記取付部材に対する上記照明体の固定強度が、上記第１固定部材による上記取付部材に対する上記照明体の固定強度より小さく、かつ、上記第２固定部材による上記取付部材に対する上記照明体の固定強度より小さいことを特徴としている。
【発明の効果】
【００１３】
本発明の一態様によれば、良好な美観を実現し、かつ壊れ難いという効果を奏する。
【図面の簡単な説明】
【００１４】
【図１】（ａ）は、本発明の実施の形態１および２に係る照明器具の主要部の構成を概略的に示す斜視図であり、（ｂ）は、（ａ）のＡ−Ａ線矢視断面図であり、（ｃ）は、（ａ）のＢ−Ｂ線矢視断面図である。
【図２】図１に示す照明器具を、取付部材と照明体とに分解した状態を示す斜視図である。
【図３】図１に示す照明器具を、取付部材と照明体とに分解した状態を示す平面図であり、第３固定部材およびその近傍の構成を概略的に示す図である。
【図４】図１に示す照明器具に対する比較例を示す斜視図であり、照明体を取付部材に対して固定する前の状態を示している。
【図５】（ａ）〜（ｃ）は、第３固定部材の組立方法の一例を示す斜視図である。
【図６】本発明の実施の形態３に係る照明器具の主要部の構成を概略的に示す、照明器具の長手方向に対して垂直な面の図である。
【発明を実施するための形態】
【００１５】
本発明を実施するための形態について、図１〜図６を参照して説明する。
【００１６】
〔実施の形態１〕
図１の（ａ）は、本発明の実施の形態１および２に係る照明器具１００の主要部の構成を概略的に示す斜視図である。図１の（ｂ）は、図１の（ａ）のＡ−Ａ線矢視断面図である。図１の（ｃ）は、図１の（ａ）のＢ−Ｂ線矢視断面図である。また、図２は、照明器具１００を、取付部材１と照明体２とに分解した状態を示す斜視図である。また、図３は、照明器具１００を、取付部材１と照明体２とに分解した状態を示す平面図であり、第３固定部材５およびその近傍の構成を概略的に示す図である。
【００１７】
図１の（ａ）においては、照明器具１００の長手方向であるＸ方向、照明器具１００の短手方向であるＹ方向、および照明器具１００の高さ方向であるＺ方向を規定している。Ｘ方向、Ｙ方向、およびＺ方向は、互いに直交している。Ｘ方向における照明器具１００の全長が、照明器具１００の長さに対応する。Ｙ方向における照明器具１００の全長が、照明器具１００の幅に対応する。Ｚ方向における照明器具１００の全長が、照明器具１００の丈に対応する。照明器具１００は一般に非常に細長い形状であり、照明器具１００の幅に対して照明器具１００の長さが非常に大きい。
【００１８】
照明器具１００は、取付部材１、照明体２、第１固定部材３、第２固定部材４、および第３固定部材５を備えている。第３固定部材５は、永久磁石６、および磁性体材料７を有している。
【００１９】
取付部材１は、設置面に固定されるものである。なお、設置面は、取付部材１における照明体２と反対側の面である取付面８と対向する面であり、具体例として天井または壁が挙げられる。照明体２は、照明器具１００において取付部材１に接続されているものであり、図２に示すとおり、取付部材１に対して着脱が可能なものである。なお、照明を行うための光源（図示しない）は通常、照明体２に設けられている。
【００２０】
図１の（ａ）においては、取付部材１の内部、特に第３固定部材５を見ることができるように、取付面８の一部の図示を省略している。後述する図４についても同様である。
【００２１】
取付部材１の長手方向、および照明体２の長手方向はいずれも、Ｘ方向と同じである。取付部材１の短手方向、および照明体２の短手方向はいずれも、Ｙ方向と同じである。取付部材１の高さ方向、および照明体２の高さ方向はいずれも、Ｚ方向と同じである。
【００２２】
第１固定部材３は、照明体２の長手方向の一端を取付部材１の長手方向の一端に対して固定するものである。第１固定部材３は、例えばネジによって構成されており、照明体２が取付部材１から外れることのないよう、照明体２を取付部材１に対して十分強固に固定している。
【００２３】
第２固定部材４は、照明体２の長手方向の他端を取付部材１の長手方向の他端に対して固定するものである。第２固定部材４は、例えばネジによって構成されており、照明体２が取付部材１から外れることのないよう、照明体２を取付部材１に対して十分強固に固定している。
【００２４】
第３固定部材５は、照明体２の長手方向の中央を取付部材１の長手方向の中央に対して固定するものである。
【００２５】
永久磁石６は、取付部材１における照明体２と対向する面である永久磁石搭載面１１に搭載されている。磁性体材料７は、照明体２における取付部材１と対向する面である磁性体材料搭載面１２に搭載されており、照明器具１００においては板状の部材である。そして、永久磁石６と磁性体材料７とが磁着することによって、第３固定部材５は、照明体２を取付部材１に対して固定する。なお、磁着時において、照明体２の重みによって磁性体材料７が永久磁石６から外れることのないよう、永久磁石６として、ネオジム磁石等の磁力の十分大きい永久磁石を用いることが好ましい。
【００２６】
第１固定部材３および第２固定部材４のそれぞれは、ネジ止めによって、照明体２を取付部材１に対して固定している。一方、第３固定部材５は、永久磁石６と磁性体材料７との磁着によって、照明体２を取付部材１に対して固定している。このため、第３固定部材５による取付部材１に対する照明体２の固定強度は、第１固定部材３による取付部材１に対する照明体２の固定強度より小さく、かつ、第２固定部材４による取付部材１に対する照明体２の固定強度より小さい。
【００２７】
照明器具１００においては、第３固定部材５による取付部材１に対する照明体２の固定が、照明体２の自重によって照明体２の中央付近が垂れ下がってしまうことを防いでいる。この結果、良好な美観の照明器具１００を実現することができる。またこの結果、照明器具１００の特定部分に大きな負担が加わることを防止することができるため、壊れ難い照明器具１００を実現することができる。
【００２８】
また、永久磁石６および磁性体材料７はいずれも、照明器具１００の内部に収納されているため、外からは見えず、この観点からも照明器具１００の美観向上に効果的である。またこのため、永久磁石６および磁性体材料７が照明の妨げとなることもない。
【００２９】
また、照明器具１００においては、第３固定部材５による取付部材１に対する照明体２の固定強度が小さいので、第３固定部材５による固定を解除する際に照明器具１００が壊れ難いというメリットがある。具体的に、第３固定部材５による固定があり、かつ第１固定部材３による固定および第２固定部材４による固定が双方ともない場合、照明器具１００においては、第３固定部材５による固定を容易に解除することができる。すなわち、例えば、図１において照明体２の長手方向のどちらかの端部を大きめに引き下げることにより、中央の磁着による固定を解除することができ、結果として照明体２を取付部材１から容易に外すことができる。
【００３０】
〔実施の形態２〕
第３固定部材５が、永久磁石６、および磁性体材料７を有していることについては、実施の形態１にて説明した。一方、図１の（ａ）に示すとおり、第３固定部材５は、永久磁石６、および磁性体材料７に加え、案内部材９、および永久磁石固定部材１０を有している。以下、図３および図４を交えて実施の形態２を説明する。
【００３１】
案内部材９は、磁性体材料搭載面１２に搭載されている、ブラケット状の部材である。案内部材９は、磁性体材料７に対して磁性体材料搭載面１２と垂直な方向（すなわち、Ｚ方向）に孔１３が形成されている。案内部材９は、永久磁石６を磁性体材料７に案内する機能を有しており、永久磁石６は、案内部材９に形成された孔１３を通ることによって、磁性体材料７にたどり着くことができる。また、案内部材９は、ステンレスによって構成されている。案内部材９が永久磁石６と磁着すると、永久磁石６が磁性体材料７にたどり着くことを妨げることとなる。案内部材９と永久磁石６との磁着を防ぐため、案内部材９は、ステンレス等の非磁性体材料によって構成されていることが好ましい。
【００３２】
永久磁石固定部材１０は、永久磁石搭載面１１に対して永久磁石６を固定する、ブラケット状の部材である。また、永久磁石搭載面１１と垂直な方向（すなわち、Ｚ方向）に見た永久磁石固定部材１０の外形は、矩形状である。
【００３３】
ここで、例えば、照明器具１００に対する比較例（図４参照）においては、永久磁石固定部材１０の外形の長手方向がＹ方向と概ね一致するが、この場合、永久磁石固定部材１０と取付部材１の短手方向の端部１４との距離が極めて近くなる、もしくは永久磁石固定部材１０と端部１４とが接する。永久磁石固定部材１０と端部１４との距離が近い程、取付部材１の外部に磁界が漏れやすくなり、永久磁石固定部材１０と端部１４とが接している場合、漏れやすさは最大となる。取付部材１の外部に磁界が漏れると、当該磁界が鉄粉を引き寄せ、この鉄粉を含む埃が照明器具１００に付着することによって照明器具１００が汚れてしまう。そこで、埃によって照明器具１００が汚れることを避けるため、永久磁石固定部材１０と、端部１４とができるだけ離間されていることが好ましい。この観点から、照明器具１００においては、永久磁石固定部材１０の外形の長手方向を、Ｘ方向と概ね一致させている、換言すれば、取付部材１の長手方向と略平行である。なお、取付部材１の長手方向の長さは、取付部材１の短手方向の長さに対して非常に大きい。このため、永久磁石固定部材１０と取付部材１の長手方向の端部１５との距離による、取付部材１の外部への磁界の漏れは、無視することができる。永久磁石固定部材１０と端部１４との離間距離は、永久磁石６および磁性体材料７によって生じる磁力に応じて適宜設定されるものであるが、例えば、案内部材９と照明体２の短手方向の端部との離間距離より大きいことが好ましい。
【００３４】
また、取付部材１（少なくとも永久磁石搭載面１１）は、ステンレス等、非磁性体材料の基材によって構成されていることが好ましい。これにより、取付部材１の外部に磁界が漏れる虞が小さくなるので、埃によって照明器具１００が汚れることを避けることができる。また、照明体２のうち磁性体材料搭載面１２を有する部材（少なくとも磁性体材料搭載面１２）は、アルミニウム等、非磁性体材料の基材によって構成されていることが好ましい。これにより、照明体２の外部に磁界が漏れる虞が小さくなるので、埃によって照明器具１００が汚れることを避けることができる。但し、これらの両方が非磁性体材料の基材によって構成されていることは必須でなく、これらのうち少なくとも一方が、非磁性体材料の基材によって構成されていてもよい。
【００３５】
図３に示すとおり、照明器具１００は、照明器具１００の電源回路である電源ユニット１６を備えている。
【００３６】
永久磁石６および磁性体材料７はいずれも、照明器具１００の内部に収納されているため、照明器具１００の外部および電源ユニット１６に対して磁力線が及ぼす影響が小さい。
【００３７】
図５の（ａ）〜（ｃ）は、第３固定部材５の組立方法の一例を示す斜視図である。
【００３８】
まず、図５の（ａ）に示す工程においては、取付部材１の永久磁石搭載面１１における長手方向の中央に、永久磁石固定部材１０を搭載し、永久磁石固定部材１０に永久磁石６を固定する。永久磁石固定部材１０の外形（矩形状）の長手方向は、取付部材１の長手方向と略平行である。
【００３９】
続いて、図５の（ｂ）に示す工程においては、照明体２の磁性体材料搭載面１２における長手方向の中央に、磁性体材料７を搭載する。図５の（ｂ）においては、磁性体材料搭載面１２における短手方向の両端の各々に、磁性体材料搭載面１２における短手方向に開口する溝１７を形成する。そして、２つの溝１７に、それぞれ、磁性体材料７の一端および他端を挿入することで、２つの溝１７によって磁性体材料７を固定する。またこのとき、磁性体材料７には、ネジ孔１８およびネジ孔１９を空けておく。
【００４０】
続いて、図５の（ｃ）に示す工程においては、照明体２の磁性体材料搭載面１２における長手方向の中央に、案内部材９を搭載する。図５の（ｃ）においては、案内部材９にネジ孔２０およびネジ孔２１を空けておく。そして、ネジ孔１８およびネジ孔２０を貫通するネジ２２と、ネジ孔１９およびネジ孔２１を貫通するネジ２３とによって、磁性体材料７に対して案内部材９を固定する。永久磁石６との磁着を防ぐため、ネジ２２およびネジ２３はいずれも、ステンレス製のものを使用することが好ましい。
【００４１】
また、図５の（ｃ）において、孔１３のサイズは、永久磁石６の外形のサイズに対してわずかに（例えば、１ｍｍ〜２ｍｍ程度の）余裕を持たせたものとなっている。また、案内部材９は、孔１３と隣接して形成されており、磁性体材料７に向けて３ｍｍ〜５ｍｍ程度延びる切り起こし部２４を有している。案内部材９が切り起こし部２４を有していることにより、永久磁石６を、磁性体材料７における所望の位置に磁着させることが容易となる。
【００４２】
また、寸法の上では孔１３を通過した永久磁石６と磁性体材料７との間にわずかに隙間が形成され、磁着によってはじめて永久磁石６と磁性体材料７とが接触するように、永久磁石６と磁性体材料７との位置関係が設定されてもよい。
【００４３】
〔実施の形態３〕
図６は、本発明の実施の形態３に係る照明器具２００の主要部の構成を概略的に示す、照明器具２００の長手方向に対して垂直な面の図である。
【００４４】
照明器具２００は、第３固定部材５の代わりに第３固定部材１０５を備えている点が照明器具１００と異なり、その他の構成については照明器具１００と同様である。
【００４５】
第３固定部材１０５は、取付部材１における照明体２側の面１１１に搭載されたバネ金具（雄）１０６、および照明体２における取付部材１側の面１１２に搭載されたバネ金具（雌）１０７を有している。バネ金具（雄）１０６は、照明器具２００の短手方向に突出した凸部１０８を有しており、バネ金具（雌）１０７は、照明器具２００の短手方向に窪んだ凹部１０９を有している。そして、凹部１０９に対して凸部１０８が嵌ることによって、第３固定部材１０５は、照明体２を取付部材１に対して固定する。
【００４６】
バネ金具（雄）１０６をスポット溶接により取付部材１に搭載することにより、照明器具２００においては、取付部材１に対して空ける孔の数を減らすことができるというメリットがある。
【００４７】
〔まとめ〕
本発明の態様１に係る照明器具は、設置面に固定される取付部材と、上記取付部材に接続されている照明体と、上記照明体の長手方向の一端を上記取付部材の長手方向の一端に対して固定する第１固定部材と、上記照明体の長手方向の他端を上記取付部材の長手方向の他端に対して固定する第２固定部材と、上記照明体の長手方向の中央を上記取付部材の長手方向の中央に対して固定する第３固定部材とを備えており、上記第３固定部材による上記取付部材に対する上記照明体の固定強度が、上記第１固定部材による上記取付部材に対する上記照明体の固定強度より小さく、かつ、上記第２固定部材による上記取付部材に対する上記照明体の固定強度より小さい。
【００４８】
上記の構成によれば、第３固定部材による取付部材に対する照明体の固定が、照明体の自重によって照明体の中央付近が垂れ下がってしまうことを防いでいる。この結果、良好な美観の照明器具を実現することができる。またこの結果、照明器具の特定部分に大きな負担が加わることを防止することができるため、壊れ難い照明器具を実現することができる。
【００４９】
また、上記の構成によれば、第３固定部材による取付部材に対する照明体の固定強度が小さいので、第３固定部材による固定を解除する際に照明器具が壊れ難い。
【００５０】
本発明の態様２に係る照明器具は、上記態様１において、上記第３固定部材は、上記取付部材における上記照明体と対向する面である永久磁石搭載面に搭載された永久磁石と、上記照明体における上記取付部材と対向する面である磁性体材料搭載面に搭載された磁性体材料とを有している。
【００５１】
上記の構成によれば、永久磁石と磁性体材料とが磁着することによって、第３固定部材は、照明体を取付部材に対して固定することができる。
【００５２】
本発明の態様３に係る照明器具は、上記態様２において、上記第３固定部材は、上記磁性体材料搭載面に搭載されており、上記磁性体材料に対して当該磁性体材料搭載面と垂直な方向に孔が形成された案内部材を有しており、上記案内部材は、非磁性体材料によって構成されている。
【００５３】
上記の構成によれば、案内部材は、永久磁石を磁性体材料に案内する機能を有しており、永久磁石は、案内部材に形成された孔を通ることによって、磁性体材料にたどり着くことができる。また、案内部材が永久磁石と磁着すると、永久磁石が磁性体材料にたどり着くことを妨げることとなる。案内部材と永久磁石との磁着を防ぐため、案内部材は、ステンレス等の非磁性体材料によって構成されていることが好ましい。
【００５４】
本発明の態様４に係る照明器具は、上記態様２または３において、上記第３固定部材は、上記永久磁石搭載面に対して上記永久磁石を固定する永久磁石固定部材を有しており、上記永久磁石固定部材と、上記取付部材の短手方向の端部とが離間されている。
【００５５】
永久磁石固定部材と取付部材の短手方向の端部とが接している場合、取付部材の外部に磁界が漏れやすくなる。取付部材の外部に磁界が漏れると、当該磁界が鉄粉を引き寄せ、この鉄粉を含む埃が照明器具に付着することによって照明器具が汚れてしまう。そこで、埃によって照明器具が汚れることを避けるため、永久磁石固定部材と、取付部材の短手方向の端部とが離間されていることが好ましい。
【００５６】
本発明の態様５に係る照明器具は、上記態様２から４のいずれかにおいて、少なくとも、上記永久磁石搭載面および上記磁性体材料搭載面のうち少なくとも一方は、非磁性体材料の基材によって構成されている。
【００５７】
上記の構成によれば、取付部材や照明体の外部に磁界が漏れる虞が小さくなるので、埃によって照明器具が汚れることを避けることができる。
【００５８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５９】
１  取付部材
２  照明体
３  第１固定部材
４  第２固定部材
５  第３固定部材
６  永久磁石
７  磁性体材料
９  案内部材
１０  永久磁石固定部材
１１  永久磁石搭載面
１２  磁性体材料搭載面
１３  孔
１００  照明器具
１０５  第３固定部材
２００  照明器具
Ｘ  照明器具の長手方向
Ｙ  照明器具の短手方向
【図１】
2018010838.tif 000003
【図２】
2018010838.tif 000004
【図３】
2018010838.tif 000005
【図４】
2018010838.tif 000006
【図５】
2018010838.tif 000007
【図６】
2018010838.tif 000008